(57)【要約】【課題】少ない操作回数でテンプレートデータのセットを管理、設定する。【解決手段】所定の印字内容データを所定の印字態様で印字させるオブジェクトデータを含んだテンプレートデータを記憶するメモリ２１５と、制御回路２０２と、を有するラベルプリンタ３に備えられた制御回路２０２に対し、メモリ２１５に予め記憶された複数のテンプレートデータから任意に複数のものを選択テンプレートデータとして選択するステップＳ１０と、複数の選択テンプレートデータ間でいずれのオブジェクトデータの印字内容データを同一とするか対応付ける同一対応付けデータを生成するステップＳ３０と、選択テンプレートデータと、同一対応付けデータとを記録するテンプレートセット管理データを生成するステップＳ４５と、を実行させる。【選択図】図４
2019212222.tif 000002
【特許請求の範囲】
【請求項１】
被印字媒体を搬送させるための搬送手段と、前記搬送手段により搬送される前記被印字媒体に対し、印字データに基づく印字を行う印字手段と、所定の印字内容データを所定の印字態様データに基づいて印字させるオブジェクトデータを含んだテンプレートデータを前記印字データとして記憶するテンプレート記憶手段と、前記搬送手段及び前記印字手段を制御する制御手段と、を有する印刷物作成装置に備えられた前記制御手段に対し、
前記テンプレート記憶手段に予め記憶された複数の前記テンプレートデータから任意に複数のものを選択テンプレートデータとして選択する選択手順と、
複数の前記選択テンプレートデータ間でいずれの前記オブジェクトデータの前記印字内容データを同一とするか対応付ける同一対応付けデータを生成する対応付け手順と、
前記選択テンプレートデータと、前記同一対応付けデータとを記録するテンプレートセット管理データを生成する管理手順と、
前記テンプレートセット管理データを前記印刷物作成装置へ送信する送信手順と、
を実行させるための、印刷物作成プログラム。
【請求項２】
請求項１記載の印刷物作成プログラムにおいて、
前記同一対応付けデータに対応付けられた前記オブジェクトデータの前記印字内容データの内容を設定する内容設定手順と、
をさらに実行し、
前記管理手順は、
それぞれの前記同一対応付けデータに対応して前記内容設定手順で設定された前記印字内容データの内容も前記テンプレートセット管理データに記録する
ことを特徴とする印刷物生成プログラム。
【請求項３】
請求項１又は２記載の印刷物作成プログラムにおいて、
複数の前記選択テンプレートデータそれぞれの印刷枚数を設定する枚数設定手順と、
をさらに実行し、
前記管理手順は、
各前記選択テンプレートデータに対応して前記枚数設定手順で設定された印刷枚数も前記テンプレートセット管理データに記録する
ことを特徴とする印刷物生成プログラム。
【請求項４】
請求項１乃至３のいずれか１項に記載の印刷物作成プログラムにおいて、
前記対応付け手順は、
前記複数の前記選択テンプレートデータのうち、前記同一対応付けデータによって対応付けられたオブジェクトデータを最も多く含む１つの選択テンプレートデータを代表テンプレートデータとし、前記同一対応付けデータは、前記代表テンプレートデータに基づいて生成される
ことを特徴とする印刷物生成プログラム。
【請求項５】
請求項４記載の印刷物作成プログラムにおいて、
前記同一対応付けデータは、前記代表テンプレートデータに含まれるオブジェクトデータの識別情報を基準として生成される
ことを特徴とする印刷物生成プログラム。
【請求項６】
被印字媒体を搬送させるための搬送手段と、
前記搬送手段により搬送される前記被印字媒体に対し、印字データに基づく印字を行う印字手段と、
所定の印字内容データを所定の印字態様データに基づいて印字させるオブジェクトデータを含んだテンプレートデータを前記印字データとして記憶するテンプレート記憶手段と、
前記搬送手段及び前記印字手段を制御する制御手段と、
を有する印刷物作成装置であって、
前記制御手段は、
前記テンプレート記憶手段に予め記憶された複数の前記テンプレートデータから任意に選択された複数の選択テンプレートデータと、複数の前記選択テンプレートデータ間でいずれの前記オブジェクトデータの前記印字内容データを同一とするか対応付ける同一対応付けデータとが記録されたテンプレートセット管理データを取得する取得処理；、
前記取得処理で取得した前記テンプレートセット管理データに記録されている前記選択テンプレートデータと前記同一対応付けデータに基づき前記搬送手段及び前記印字手段を制御し、前記選択テンプレートごとに対応した印字が形成された印刷物を作成する印刷物作成処理；
を実行する
ことを特徴とする印刷物作成装置。
【請求項７】
請求項６記載の印刷物作成装置において、
前記制御手段は、
前記テンプレートセット管理データに記録されている前記同一対応付けデータに対応付けられた複数の前記オブジェクトデータ間の同一の前記印字内容データの内容を設定する内容設定処理；
をさらに実行し、
前記印刷物作成処理は、
前記内容設定処理で設定した前記印字内容データで各前記選択テンプレートデータに含まれる前記オブジェクトデータを印刷する
ことを特徴とする印刷物作成装置。
【請求項８】
請求項６又は７記載の印刷物作成装置において、
前記制御手段は、
前記テンプレートセット管理データに記録されている複数の前記選択テンプレートデータそれぞれの印刷枚数を設定する枚数設定処理；  
をさらに実行し、
前記印刷物作成処理は、
前記枚数設定処理で設定した印刷枚数で各前記選択テンプレートデータに対応する前記印刷物を作成する
ことを特徴とする印刷物作成装置。
【発明の詳細な説明】
【技術分野】
【０００１】
本発明は、テンプレートデータを用いて印刷物を作成する印刷物作成プログラム及び印刷物作成装置に関する。
【背景技術】
【０００２】
例えば、印字領域やフォントなどの印字態様が設定されたオブジェクトを含んで印刷の雛形となるテンプレートを利用し、各オブジェクトの印字内容を別途設定するだけで当該印字内容を上記印字態様で印刷する手法が知られている（例えば、特許文献１参照）。
【先行技術文献】
【特許文献】
【０００３】
【特許文献１】特開２００６−３０９４７３号公報
【発明の概要】
【発明が解決しようとする課題】
【０００４】
一方、実際の印刷物の作成態様として、複数の異なるテンプレートデータにそれぞれ対応する複数の印刷物を１つのセットとして扱い、そのセット中の各テンプレートデータに含まれるオブジェクトデータどうしを任意の組合せで対応付けて同一の印字内容データを共有させたい場合がある。しかし従来では、このような複数のテンプレートデータのセットの管理を人為的に行わなくてはならず、また各テンプレートデータごとに各オブジェクトデータの印字内容データを逐一設定して逐一印刷操作を行わなければならない。このため、テンプレートデータ間で共有させたい印字内容データも何度も重複して入力設定しなければならず、非常に煩雑な作業となっていた。
【０００５】
本発明の目的は、少ない操作回数でテンプレートデータのセットを管理、設定できる印刷物作成プログラム及び印刷物作成装置を提供することにある。
【課題を解決するための手段】
【０００６】
上記目的を達成するために、本願第１発明は、被印字媒体を搬送させるための搬送手段と、前記搬送手段により搬送される前記被印字媒体に対し、印字データに基づく印字を行う印字手段と、所定の印字内容データを所定の印字態様データに基づいて印字させるオブジェクトデータを含んだテンプレートデータを前記印字データとして記憶するテンプレート記憶手段と、前記搬送手段及び前記印字手段を制御する制御手段と、を有する印刷物作成装置に備えられた前記制御手段に対し、前記テンプレート記憶手段に予め記憶された複数の前記テンプレートデータから任意に複数のものを選択テンプレートデータとして選択する選択手順と、複数の前記選択テンプレートデータ間でいずれの前記オブジェクトデータの前記印字内容データを同一とするか対応付ける同一対応付けデータを生成する対応付け手順と、前記選択テンプレートデータと、前記同一対応付けデータとを記録するテンプレートセット管理データを生成する管理手順と、前記テンプレートセット管理データを前記印刷物作成装置へ送信する送信手順と、を実行させることを特徴とする。
【０００７】
本願第１発明の印刷物作成プログラムは、印刷物作成装置に情報送受可能に接続された操作端末上で起動するプログラムであり、この印刷物作成プログラムで生成した印字データを印刷物作成装置に送信することで当該印字データに基づいた印刷物を作成させることができる。ここで、印刷物作成装置側で、所定の印字内容データ（例えばテキストデータ等）を所定の印字態様データ（例えば印字位置、ポイント、スタイル等）に基づいて印字させるオブジェクトデータを含んだテンプレートデータを印字データとしてテンプレート記憶手段に記憶している場合がある。この場合には、印刷物作成プログラム上で印刷させたいテンプレートデータを選択し、これを印字データとして印刷物作成装置に送信することで当該テンプレートデータに基づいた印刷物を作成させることができる。このとき、テンプレートデータに含まれるオブジェクトデータごとの印字内容データの内容や印刷枚数を印刷物作成プログラム側で設定（印字態様データの内容についてはデフォルトの設定を使用）してもよいし、印刷物作成装置側で設定してもよい。
【０００８】
一方、実際の印刷物の作成態様として、複数の異なるテンプレートデータにそれぞれ対応する複数の印刷物を１つのセットとして扱い、そのセット中の各テンプレートデータに含まれるオブジェクトデータどうしを任意の組合せで対応付けて同一の印字内容データを共有させたい場合がある。しかし従来では、このような複数のテンプレートデータのセットの管理を人為的に行わなくてはならず、また各テンプレートデータごとに各オブジェクトデータの印字内容データを逐一設定して逐一印刷操作を行わなければならない。このため、テンプレートデータ間で共有させたい印字内容データも重複して何度も入力設定しなければならず、非常に煩雑な作業となっていた。
【０００９】
そこで、上記のようなテンプレートデータのセットに対するユーザの印刷設定の煩雑を回避するために、本願発明においては、テンプレートデータとは別に新たなテンプレートセット管理データを作成して印刷物作成装置へ送信する。すなわち、本願発明の印刷物作成プログラムが実行されると、まず選択手順で、テンプレート記憶手段に予め記憶された複数のテンプレートデータからユーザが任意に複数のものを選択テンプレートデータとして選択する。その後、対応付け手順で、複数の選択テンプレートデータ間でいずれのオブジェクトデータの印字内容データを同一とするか対応付ける同一対応付けデータを生成する。そして、管理手順で、選択テンプレートデータと同一対応付けデータとを記録するテンプレートセット管理データを生成し、これを送信手順で印刷物作成装置へ送信する。
【００１０】
以上のようにして、複数の異なる選択テンプレートデータからなるセットを１つのテンプレートセット管理データで管理することができ、それら選択テンプレートデータ間で同一の印字内容データを共有するオブジェクトデータの対応付けも記録できる。この結果、当該テンプレートセット管理データを生成した印刷物作成プログラム、もしくは当該テンプレートセット管理データを受信した印刷物作成装置は、対応するセット中でどの選択テンプレートデータが用いられ、どのオブジェクトデータの組合せで印字内容データを共有するかを把握することができる。このため、１セット中で必要とされる印字内容データの種類ごとに一度ずつ内容を設定するだけで、全ての選択テンプレートデータの全てのオブジェクトデータの印字内容データの内容を自動的に設定できる。この結果、少ない操作回数でテンプレートデータのセットを管理、設定でき、ユーザにとっての利便性を向上することができる。
【００１１】
また、上記目的を達成するために、本願第２発明は、被印字媒体を搬送させるための搬送手段と、前記搬送手段により搬送される前記被印字媒体に対し、印字データに基づく印字を行う印字手段と、所定の印字内容データを所定の印字態様データに基づいて印字させるオブジェクトデータを含んだテンプレートデータを前記印字データとして記憶するテンプレート記憶手段と、前記搬送手段及び前記印字手段を制御する制御手段と、を有する印刷物作成装置であって、前記制御手段は、前記テンプレート記憶手段に予め記憶された複数の前記テンプレートデータから任意に選択された複数の選択テンプレートデータと、複数の前記選択テンプレートデータ間でいずれの前記オブジェクトデータの前記印字内容データを同一とするか対応付ける同一対応付けデータとが記録されたテンプレートセット管理データを取得する取得処理；、前記取得処理で取得した前記テンプレートセット管理データに記録されている前記選択テンプレートデータと前記同一対応付けデータに基づき前記搬送手段及び前記印字手段を制御し、前記選択テンプレートごとに対応した印字が形成された印刷物を作成する印刷物作成処理；を実行することを特徴とする。
【００１２】
本願第２発明の印刷物作成装置は、情報送受可能に接続された操作端末上で起動する印刷物作成プログラムから印字データを受信し、当該印字データに基づいて印刷物を作成する装置である。この印刷物作成装置は、所定の印字内容データ（例えばテキストデータ等）を所定の印字態様データ（例えば印字位置、ポイント、スタイル等）に基づいて印字させるオブジェクトデータを含んだテンプレートデータを印字データとしてテンプレート記憶手段に記憶している。このとき、印刷物作成プログラム上で印刷させたいテンプレートデータが選択され、これを印字データとして印刷物作成装置が受信することで当該テンプレートデータに基づいた印刷物を作成できる。この場合、テンプレートデータに含まれるオブジェクトデータごとの印字内容データの内容や印刷枚数を印刷物作成プログラム側で設定（印字態様データの内容についてはデフォルトの設定を使用）してもよいし、印刷物作成装置側で設定してもよい。
【００１３】
一方、実際の印刷物の作成態様として、複数の異なるテンプレートデータにそれぞれ対応する複数の印刷物を１つのセットとして扱い、そのセット中の各テンプレートデータに含まれるオブジェクトデータどうしを任意の組合せで対応付けて同一の印字内容データを共有させたい場合がある。しかし従来では、このような複数のテンプレートデータのセットの管理を人為的に行わなくてはならず、また各テンプレートデータごとに各オブジェクトデータの印字内容データを逐一設定して逐一印刷操作を行わなければならない。このため、テンプレートデータ間で共有させたい印字内容データも重複して何度も入力設定しなければならず、非常に煩雑な作業となっていた。
【００１４】
そこで、上記のようなテンプレートデータのセットに対するユーザの印刷設定の煩雑を回避するために、本願発明においては、印刷物作成プログラムがテンプレートデータとは別に新たに作成したテンプレートセット管理データを当該印刷物作成装置が受信する。もしくは、当該印刷物作成装置自体でテンプレートセット管理データを作成して保存し、それを必要時に取得してもよい。すなわち、本願発明の印刷物作成装置の制御手段は、まず取得処理を実行して、テンプレート記憶手段に予め記憶された複数のテンプレートデータから任意に選択された複数の選択テンプレートデータと、複数の選択テンプレートデータ間でいずれのオブジェクトデータの印字内容データを同一とするか対応付ける同一対応付けデータとが記録されたテンプレートセット管理データを取得（操作端末から受信、又は自前のメモリから取得）する。その後、印刷物作成処理を実行して、取得処理で取得したテンプレートセット管理データに記録されている選択テンプレートデータと同一対応付けデータに基づき搬送手段及び印字手段を制御し、選択テンプレートごとに対応した印字が形成された印刷物を作成する。
【００１５】
以上のようにして、複数の異なる選択テンプレートデータからなるセットを１つのテンプレートセット管理データで管理することができ、それら選択テンプレートデータ間で同一の印字内容データを共有するオブジェクトデータの対応付けも管理できる。この結果、当該テンプレートセット管理データを取得した印刷物作成装置は、対応するセット中でどの選択テンプレートデータが用いられ、どのオブジェクトデータの組合せで印字内容データを共有するかを把握することができる。このため、１セット中で必要とされる印字内容データの種類ごとに一度ずつ内容を設定するだけで、全ての選択テンプレートデータの全てのオブジェクトデータの印字内容データの内容を自動的に設定でき、さらに全ての選択テンプレートに対応する印刷物を自動的に作成できる。この結果、少ない操作回数でテンプレートデータのセットを管理、設定、印刷でき、ユーザにとっての利便性を向上することができる。
【発明の効果】
【００１６】
本発明によれば、少ない操作回数でテンプレートデータのセットを管理、設定できる。
【図面の簡単な説明】
【００１７】
【図１】本発明の一実施形態の印刷物作成装置を備えて印刷物作成プログラムを実行する印刷システムの各部詳細機能を表す機能ブロック図である。
【図２】印字ラベルセットの利用形態の一例を表す図である。
【図３】図２に示した印字ラベルセットを作成するのに必要なテンプレートデータを含んだテンプレートデータ群の一例を表す図である。
【図４】図２に示した印字ラベルセットを作成するためのテンプレートセット管理データの一例を模式的に表す図である。
【図５】操作端末のＣＰＵが実行する管理データ生成処理の制御手順の一例を表すフローチャートである。
【図６】ラベルプリンタの制御回路が備えるＣＰＵが実行する印字ラベルセット作成処理の制御手順の一例を表すフローチャートである。
【図７】ラベルプリンタの制御回路が備えるＣＰＵが実行する管理データ修正処理の制御手順の一例を表すフローチャートである。
【図８】図２に示した印字ラベルセットを作成するためのテンプレートセット管理データを代表テンプレートを用いて生成した一例を模式的に表す図である。
【発明を実施するための形態】
【００１８】
以下、本発明の一実施の形態を図面を参照しつつ説明する。
【００１９】
＜システム概略構成＞
本実施形態の印刷物作成装置を備えて印刷物作成プログラムを実行する印刷システムの各部詳細機能を表す機能ブロック図を図１に示す。図１において、印刷システム１は、例えば汎用パーソナルコンピュータで構成される操作端末２と、例えばＬＡＮ等の通信ネットワークＮＷを介して操作端末２に接続されたラベルプリンタ３と、を有している。そして、操作端末２は、上記通信ネットワークＮＷを介してラベルプリンタ３と相互に情報送受可能に接続されている。
【００２０】
ラベルプリンタ３（印刷物作成装置）は、操作端末２との間で各種の情報や指示信号を送受し、操作端末２でのユーザの操作に基づき、所望の文字や図形などの印字を備えた印字ラベル（印刷物に相当）を作成する。
【００２１】
操作端末２は、ＣＰＵ１２と、例えばＲＡＭやＲＯＭ等からなるメモリ１３と、ユーザからの指示や情報が入力される操作部１４と、各種情報やメッセージを表示する表示部１７と、ラベルプリンタ３等との情報信号の授受の制御を行う通信制御部１５と、後述する管理データ生成処理等を含む各種のプログラムや後述するテンプレートデータ等を含む情報を記憶する大容量記憶装置１６とを備えている。
【００２２】
ＣＰＵ１２は、ＲＡＭの一時記憶機能を利用しつつＲＯＭや大容量記憶装置１６に予め記憶されたプログラムに従って、各種の処理やラベルプリンタ３等との間で各種の指示信号・情報信号の送受を行う。
【００２３】
ラベルプリンタ３等は、図１に示すように、被印字媒体としての被印字テープ（本来は渦巻き状であるが簡略化して同心円で図示している）２０３を巻回したテープロール２０４を着脱可能な（又はテープロール２０４を備えたカートリッジを着脱可能な）テープロールホルダ部２１０と、テープロール２０４から繰り出された被印字テープ２０３に所望の印字を行う印字ヘッド２０５（印字手段に相当）と、印字が終了したテープ２０３を所定の長さに切断して印字ラベルとするカッタ２０７と、印字ヘッド２０５に対向して設けられ、制御回路２０２により制御されてテープロール２０４からのテープ２０３を搬送する搬送装置２０９（搬送手段に相当）と、ユーザからの指示や情報が入力される操作部２１３と、各種情報やメッセージを表示する表示部２１４と、を有する。また制御回路２０２（制御手段に相当）は、通信制御部２０８と通信ネットワークＮＷを介して操作端末２の上記通信制御部１５に接続されている。この結果、ラベルプリンタ３等は、操作端末２と情報の送受が可能となっている。なお、制御回路２０２はメモリ２１５（テンプレート記憶手段）を備えており、このメモリ２１５には後述するテンプレートデータ及びテンプレートセット管理データが記憶される（後述）。
【００２４】
＜本実施形態の特徴＞
上述した本実施形態の印刷システム１における特徴としては、印字内容やその印字態様が異なる複数の印字ラベルを１つの印字ラベルセットとして管理し、その管理データの生成と設定、及びその管理データに基づく複数の印字ラベルの自動作成を簡易に行うことにある。そのための前提として、ラベルプリンタ３は、いわゆるテンプレートデータ（印字データ）で規定される印字態様に基づいて印字ラベルの印字処理が可能であり、予めそれぞれ所定の内容で作成された多数のテンプレートデータがラベルプリンタ３のメモリ２１５に記憶されているものとする。以下においては、上記の印字ラベルセットを管理、作成するためのテンプレートセット管理データの内容とその生成処理、及びテンプレートセット管理データを用いた印字ラベルの作成処理について順次詳細に説明する。
【００２５】
＜印字ラベルセットについて＞
まず、本実施形態においてテンプレートセット管理データにより管理、作成される印字ラベルセットの詳細について説明する。図２は、印字ラベルセットの利用形態の一例を示しており、この図示する例では１本のケーブル３０１の両端にあるプラグ３０１Ａ、３０１Ｂをそれぞれ異なる２つのコネクタ３０２Ａ、３０２Ｂに接続する構成を示しており、２箇所の接続部分の周辺にそれぞれ３つの印字ラベルが貼付されている。
【００２６】
まず、２つのコネクタ３０２Ａ、３０２Ｂそれぞれの上方付近には、対応するコネクタ３０２Ａ、３０２Ｂの識別番号のみが印字（図示する例では「Ｘ１０１」と「Ｙ２０１」）されたコネクタＩＤ印字ラベルＬ１Ａ、Ｌ１Ｂが貼付されている。また、２つのコネクタ３０２Ａ、３０２Ｂそれぞれの下方付近には、対応するコネクタ３０２Ａ、３０２Ｂの識別番号を左側に配置し、「→」の記号を中央に配置し、ケーブル３０１を介した接続相手先のコネクタ３０２Ａ、３０２Ｂの識別番号を右側に配置して印字（図示する例では「Ｘ１０１  →  Ｙ２０１」と「Ｙ２０１  →  Ｘ１０１」）されたコネクタ接続関係印字ラベルＬ２Ａ、Ｌ２Ｂが貼付されている。そして、各プラグ３０１Ａ、３０１Ｂ付近のケーブル本体３０１Ｃには、当該プラグ３０１Ａ、３０１Ｂが接続されるコネクタ３０２Ａ、３０２Ｂの識別番号を左側に配置し、「／」の記号を中央に配置し、他方のプラグ３０１Ａ、３０１Ｂが接続されるコネクタ３０２Ａ、３０２Ｂの識別番号を右側に配置して印字（図示する例では「Ｘ１０１／Ｙ２０１」と「Ｙ２０１／Ｘ１０１」）されたプラグ接続関係印字ラベルＬ３Ａ、Ｌ３Ｂがケーブル本体３０１Ｃの周方向周りに巻回するよう貼付されている。なお、これらプラグ接続関係印字ラベルＬ３Ａ、Ｌ３Ｂはそれぞれ、対応するプラグ３０１Ａ、３０１Ｂが接続するコネクタ３０２Ａ、３０２Ｂの識別番号（左側に配置される識別番号）が当該プラグ３０１Ａ、３０１Ｂに近い側に位置するよう、プラグ３０１Ａ、３０１Ｂを左側に位置させケーブル本体３０１Ｃを水平方向に配置させた状態で各印字の向きが正対方向となるように巻回されている。
【００２７】
以上のように２つのコネクタ３０２Ａ、３０２Ｂを１本のケーブル３０１で接続する構成において、各コネクタ３０２Ａ、３０２Ｂ（各プラグ３０１Ａ、３０１Ｂ）の周囲にそれぞれ３種類（計６つ）の印字ラベルＬ１Ａ〜Ｌ３Ｂを貼付することにより、例えば遠く離れた位置にある２つのコネクタ３０２Ａ、３０２Ｂの一方だけ視認しただけでケーブル３０１を介した他方のコネクタ３０２Ａ、３０２Ｂとの接続関係を容易に確認できる。また、ケーブル３０１を一度外して再接続するような場合でも、同じ接続関係を容易に復帰できる。これらは特に非常に多くのコネクタ３０２Ａ、３０２Ｂ及びケーブル３０１が存在する状況で有用である。
【００２８】
上記の６つの印字ラベルＬ１Ａ〜Ｌ３Ｂの利用形態は１つのケーブル３０１を介したコネクタ接続構成ごとに用いられるものであり、本実施形態ではこのように１組のセットとして利用する複数の印字ラベルＬ１Ａ〜Ｌ３Ｂを印字ラベルセットとする。例えば、多数本のケーブル３０１を用いて多数組のコネクタ３０２Ａ、３０２Ｂ間を接続する状況では、そのケーブル３０１の本数と同数組の印字ラベルセットが必要となる。
【００２９】
図２に示す例の印字ラベルセットでは、上述したように接続するコネクタ３０２Ａ、３０２Ｂとプラグ３０１Ａ、３０１Ｂの組にそれぞれ対応してコネクタＩＤ印字ラベルＬ１（Ｌ１Ａ、Ｌ１Ｂ、コネクタ接続関係印字ラベルＬ２（Ｌ２Ａ、Ｌ２Ｂ）、及びプラグ接続関係印字ラベルＬ３（Ｌ３Ａ、Ｌ３Ｂ）の３種類の印字態様が異なる印字ラベルが必要となる。そしてこれら３種類の印字ラベルＬ１〜Ｌ３が、２つのコネクタ３０２Ａ、３０２Ｂ（２つのプラグ３０１Ａ、３０１Ｂ）にそれぞれ対応して必要となり、計６つの印字ラベルＬ１Ａ〜Ｌ３Ｂが１つのセットとして扱われる。
【００３０】
しかしながら、当該１つの印字ラベルセット中の各印字ラベルに任意に印字される最小単位の印字内容（この例では「Ｘ１０１」、「Ｙ２０１」の２つのテキスト）はほとんどが重複している。そして、上記３種類の印字ラベルＬ１〜Ｌ３の間では、印字ラベルの印字領域中における印字内容の配置、ポイント、及びスタイルなどの印字態様（印字態様データ）が異なるだけであり、同じ種類の印字ラベルの間では相互に逆の印字内容を印字しているだけの違いしかない。このような印字ラベルセットの内容の場合、６つ全ての印字ラベルを印字する際にそれぞれの印字ラベル単位で印字する印字内容と印字態様を個別に設定すると多くの重複した設定作業が必要となり非常に煩雑となる。
【００３１】
これに対し従来では、印字内容単位でその配置、ポイント、及びスタイル等を定義するオブジェクトデータを、印字ラベル単位で複数まとめたいわゆるテンプレートデータを用いることにより、印字ラベル単位での印字態様の定式化が可能となる（後に詳述する）。そして本実施形態では、さらに複数の異なるテンプレートデータにそれぞれ対応する複数の印字ラベルを１つの印字ラベルセットとして扱い、そのセット中の各テンプレートデータに含まれるオブジェクトデータどうしを任意の組合せで対応付けて同一の印字内容データを共有させる。
【００３２】
本実施形態では、このような１つの印字ラベルセットに用いる複数のテンプレートデータを選択テンプレートデータとする。また、これら選択テンプレートデータに含まれるオブジェクトデータどうしで同一の印字内容を共有させる組合せのデータを同一対応付けデータとする。そして、これら選択テンプレートデータと同一対応付けデータを記録したデータをテンプレートセット管理データとして生成し、これに基づいて印字ラベルセットの作成処理を行う。
【００３３】
＜テンプレートセット管理データについて＞
上述したように本実施形態のラベルプリンタ３が備えるメモリ２１５には、あらかじめ複数のテンプレートデータが記憶されている。図３は、上記図２に示した印字ラベルセットを作成するのに必要なテンプレートデータを含んだテンプレートデータ群の一例を示している。
【００３４】
図３には、１０個のテンプレートデータＩ〜Ｘが例示されており、各テンプレートデータＩ〜Ｘにはそれぞれ１つ乃至複数のオブジェクトデータａ〜ｃが含まれている。オブジェクトデータは、当該オブジェクトデータに個別に対応して設定された印字内容データの印字態様、すなわち当該印字ラベルの印字領域における配置（印字位置）、ポイント（印字大きさ）、及びスタイル（太字、斜体、並び方向、姿勢方向、上下・左右逆、等）等を定義するデータである。またこの例におけるオブジェクトデータには、ユーザが任意に印字内容データ（図示する例では共通の「ＡＢＣ」、「ＤＥＦ」のテキストデータで例示）を設定できる任意オブジェクトデータと、当該テンプレートデータが独自に印字内容データを設定している独自オブジェクトデータ（図示する例ではテンプレートデータＩＩＩ〜Ｘそれぞれのオブジェクトデータｂ）とがある。
【００３５】
ユーザは、任意のテンプレートデータを指定し、それに含まれる各任意オブジェクトデータごとに印字内容データを任意に設定することで、一律に同じ印字態様で印字内容のみが異なる印字ラベルを作成できる。なお、図中のテンプレートＩＤ（＝Ｉ〜Ｘ）は、テンプレートデータの識別情報である。
【００３６】
そして、例えば上記図２に示した印字ラベルセットを作成する場合には、図４に示すようなテンプレートセット管理データが生成される。テンプレートセット管理データには、大別して選択テンプレートデータと、同一対応付けデータが含まれている。
【００３７】
選択テンプレートデータには、当該テンプレートセット管理データで管理する印字ラベルセットに必要とされるテンプレートデータの識別情報が選択テンプレートＩＤとして記録されるとともに、各選択テンプレートＩＤに対応する印字ラベルの印刷枚数も合わせて記録される。これら選択テンプレートＩＤとそれに対応する印刷枚数はいずれもユーザが任意に設定する内容であり、これらが全て設定されることで最終的に印字ラベルセットに含まれる印字ラベルの合計枚数とそれらの識別情報（図中の「印字ラベルＩＤ」）が自動的に決定され、記録される。なおこの例では、印字ラベルＩＤは、選択テンプレートＩＤ（図示する例では「Ｉ」、「ＩＩＩ」、「ＶＩＩ」）とその印刷枚数に対応した印字ラベル別の識別情報（図示する例では「（ｉ）」、「（ｉｉ）」）の組合せで表記されている（例えば「Ｉ（ｉ）」、「Ｉ（ｉｉ）」等）。
【００３８】
同一対応付けデータには、全ての選択テンプレートデータに含まれている全ての任意オブジェクトデータのうちいずれの組合せで同じ印字内容データを共有させるかを列記した対応オブジェクトＩＤグループとそれに対応する印字内容データ（図示する例では「Ｘ１０１」、「Ｙ２０１」のテキストデータ）が合わせて記録される。これら対応オブジェクトＩＤグループとそれに対応する印字内容データはいずれもユーザが任意に設定する内容である。なおこの例では、対応オブジェクトＩＤグループに列記されるオブジェクトの識別情報（オブジェクトＩＤ）は、選択テンプレートＩＤ（図示する例では「Ｉ」、「ＩＩＩ」、「ＶＩＩ」）と、その印刷枚数に対応した印字ラベル別の識別番号（図示する例では「（ｉ）」、「（ｉｉ）」）と、その選択テンプレートＩＤに含まれるオブジェクトデータの識別情報（図示する例では「ａ」、「ｃ」）の組合せで表記されている（例えば「Ｉ（ｉ）ａ」、「Ｉ（ｉｉ）ａ」等）。
【００３９】
以上のように生成されたテンプレートセット管理データを用いることで、印字ラベルセットに含まれる全ての印字ラベルのそれぞれに対応して利用される選択テンプレートデータと、それら選択テンプレートデータに含まれる各オブジェクトデータの印字内容データを全て把握できる。そして本実施形態では、このテンプレートセット管理データを生成する管理データ生成処理を操作端末２とラベルプリンタ３のいずれでも実行可能とし、これを操作端末２から受信するかまたは独自に生成したラベルプリンタ３が当該テンプレートセット管理データに基づいて印字ラベルセットの各印字ラベルを作成する。
【００４０】
＜テンプレートセット管理データの作成処理の制御手順＞
上記のテンプレートセット管理データの生成処理を実現するために、操作端末２のＣＰＵ１２が実行する管理データ生成処理の制御手順の一例を図５に示す。なお、ラベルプリンタ３のメモリ２１５に記憶されている全てのテンプレートデータが操作端末２の大容量記憶装置１６にもあらかじめ記憶されているものとする。そして、操作端末２上でテンプレートセット管理データを生成するよう操作された際に、この図５に示すフローの実行が開始される。
【００４１】
まずステップＳ５で、ＣＰＵ１２は、大容量記憶装置１６から全てのテンプレートデータを取得し、それらを表示部に一覧表示する。
【００４２】
次にステップＳ１０へ移り、ＣＰＵ１２は、上記ステップＳ５で一覧表示されたテンプレートデータのうち、ユーザからいずれを選択テンプレートデータ（選択テンプレートＩＤ）として選択するかの入力操作を受け付ける。なお、このステップＳ１０の手順が、各請求項記載の選択手順に相当する。
【００４３】
次にステップＳ１５へ移り、ＣＰＵ１２は、上記ステップＳ１０で選択された選択テンプレートデータの印刷枚数の入力操作を受け付ける。なお、このステップＳ１５の手順が、各請求項記載の枚数設定手順に相当する。
【００４４】
次にステップＳ２０へ移り、ＣＰＵ１２は、選択テンプレートＩＤと印刷枚数から印字ラベルＩＤを生成する。
【００４５】
次にステップＳ２５へ移り、ＣＰＵ１２は、ユーザから選択テンプレートデータを追加するよう指示されているか否かを判定する。選択テンプレートデータを追加するよう指示されている場合、判定が満たされ（Ｓ２５：ＹＥＳ）、上記ステップＳ１０に戻って同様の手順を繰り返す。
【００４６】
一方、選択テンプレートデータの追加が指示されていない場合、判定は満たされず（Ｓ２５：ＮＯ）、ステップＳ３０へ移る。
【００４７】
ステップＳ３０では、ＣＰＵ１２は、ユーザから同一の印字内容を共有させる対応オブジェクトＩＤグループの全てのオブジェクトＩＤの列記入力の操作を受け付ける。なお、このステップＳ３０の手順が、各請求項記載の対応付け手順に相当する。
【００４８】
次にステップＳ３５へ移り、ＣＰＵ１２は、上記ステップＳ３０で入力した対応オブジェクトＩＤグループに対応する印字内容データの入力操作を受け付ける。なお、このステップＳ３５の手順が、各請求項記載の内容設定手順に相当する。
【００４９】
次にステップＳ４０へ移り、ＣＰＵ１２は、全ての選択テンプレートデータが備える全ての任意オブジェクトデータに対して対応オブジェクトＩＤグループの対応付けが完了したか否かを判定する。対応付けが完了していない任意オブジェクトデータがある場合、判定が満たされず（Ｓ４０：ＮＯ）、上記ステップＳ３０に戻って新たなオブジェクトＩＤグループに対して同様の手順を繰り返す。
【００５０】
一方、全ての任意オブジェクトデータに対して対応付けが完了した場合、判定が満たされ（Ｓ４０：ＹＥＳ）、ステップＳ４５へ移る。
【００５１】
ステップＳ４５では、ＣＰＵ１２は、上記ステップＳ１０〜ステップＳ４０の手順で生成された選択テンプレートデータ及び同一対応付けデータに基づいてテンプレートセット管理データを生成する。なお、このステップＳ４５の手順が、各請求項記載の管理手順に相当する。
【００５２】
次にステップＳ５０へ移り、ＣＰＵ１２は、上記ステップＳ４５で生成したテンプレートセット管理データをラベルプリンタ３へ送信する。なお、このステップＳ５０の手順が、各請求項記載の送信手順に相当する。そして、このフローを終了する。
【００５３】
なお、以上の管理データ生成処理の全体の手順が、各請求項記載の印刷物作成プログラムに相当する。また上述したように、上記の管理データ生成処理はラベルプリンタ３の制御回路２０２が備える図示しないＣＰＵで実行してもよく、その場合には上記ステップＳ５でメモリ２１５からテンプレートデータを取得し、上記ステップＳ５０ではテンプレートセット管理データをメモリ２１５に記録する。
【００５４】
＜印字ラベルセットの作成処理の制御手順＞
上記のテンプレートセット管理データを用いた印字ラベルセットの作成処理を実現するために、ラベルプリンタ３の制御回路２０２が備える図示しないＣＰＵが実行する印字ラベルセット作成処理の制御手順の一例を図６に示す。ラベルプリンタ３で印字ラベルセットを作成するよう操作された際に、この図６に示すフローの実行が開始される。
【００５５】
まずステップＳ１０５で、制御回路２０２のＣＰＵは、操作端末２からテンプレートセット管理データを受信する。なお、当該ラベルプリンタ３上で生成したテンプレートセット管理データを利用する場合には、別途ユーザから指定されたテンプレートセット管理データをメモリ２１５から取得する。このステップＳ１０５の手順が、各請求項記載の取得処理に相当する。
【００５６】
次にステップＳ１１０へ移り、制御回路２０２のＣＰＵは、テンプレートセット管理データ中の選択テンプレートデータに記録されている印字ラベルＩＤを順に（例えば数字順に）１つ取得する。
【００５７】
次にステップＳ１１５へ移り、制御回路２０２のＣＰＵは、上記ステップＳ１１０で取得した印字ラベルＩＤに対応する選択テンプレートデータが備える任意オブジェクトデータのオブジェクトＩＤを順に（例えばアルファベット順に）１つ取得する。
【００５８】
次にステップＳ１２０へ移り、制御回路２０２のＣＰＵは、上記ステップＳ１１５で取得した任意オブジェクトデータに対応して、そのオブジェクトＩＤが属する対応オブジェクトＩＤグループに対応した印字内容データを、同一対応付けデータを参照して取得する。
【００５９】
次にステップＳ１２５へ移り、制御回路２０２のＣＰＵは、上記ステップＳ１１０で取得した印字ラベルＩＤに対応する選択テンプレートデータが備える全ての任意オブジェクトデータで対応する印字内容データを取得したか否かを判定する。まだ印字内容データを取得していない任意オブジェクトデータがある場合、判定が満たされず（Ｓ１２５：ＮＯ）、上記ステップＳ１１５に戻って同様の手順を繰り返す。
【００６０】
全ての任意オブジェクトデータに対応して印字内容データを取得した場合、判定が満たされ（Ｓ１２５：ＹＥＳ）、ステップＳ１３０へ移る。
【００６１】
ステップＳ１３０では、制御回路２０２のＣＰＵは、その時点の印字ラベルＩＤに対応する印字ラベルの印字領域に印字する印字画像データ全体を生成する。つまり、印字ラベルＩＤに対応する選択テンプレートデータ及びそれが備える各オブジェクトデータで定義された印字態様に基づき、任意オブジェクトデータ及び独自オブジェクトデータそれぞれの各印字内容データを展開して印字画像データ全体を生成する。
【００６２】
次にステップＳ１３５へ移り、制御回路２０２のＣＰＵは、上記ステップＳ１３０で生成した印字画像データに基づいて、搬送装置２０９、印字ヘッド２０５、及びカッタ２０７を制御して印字ラベルＩＤに対応する印字ラベルを作成する。
【００６３】
次にステップＳ１４０へ移り、制御回路２０２のＣＰＵは、テンプレートセット管理データの選択テンプレートデータに記録されている全ての印字ラベルＩＤに対して印字ラベルを作成したか否かを判定する。まだ印字ラベルを作成していない印字ラベルＩＤがある場合、判定は満たされず（Ｓ１４０：ＮＯ）、上記ステップＳ１１０へ戻って同様の手順を繰り返す。
【００６４】
一方、全ての印字ラベルＩＤに対して印字ラベルを作成した場合、判定が満たされ（Ｓ１４０：ＹＥＳ）、このフローを終了する。
【００６５】
なお、上記のステップＳ１０５〜ステップＳ１４０の手順が、各請求項記載の印刷物作成処理に相当する。
【００６６】
＜本実施形態の効果＞
以上説明したように、本実施形態で実行する管理データ生成処理では、テンプレートデータとは別に新たなテンプレートセット管理データを作成してラベルプリンタ３へ送信する。すなわち、管理データ生成処理が実行されると、まずステップＳ１０の手順で、メモリ２１５（大容量記憶装置１６）に予め記憶された複数のテンプレートデータからユーザが任意に複数のものを選択テンプレートデータとして選択する。その後、ステップＳ３５の手順で、複数の選択テンプレートデータ間でいずれのオブジェクトデータの印字内容データを同一とするか対応付ける同一対応付けデータを生成する。そして、ステップＳ４５の手順で、選択テンプレートデータと同一対応付けデータとを記録するテンプレートセット管理データを生成し、これをステップＳ５０の手順でラベルプリンタ３へ送信する。
【００６７】
以上のようにして、複数の異なる選択テンプレートデータからなるセットを１つのテンプレートセット管理データで管理することができ、それら選択テンプレートデータ間で同一の印字内容データを共有するオブジェクトデータの対応付けも記録できる。この結果、当該テンプレートセット管理データを生成した操作端末２、もしくは当該テンプレートセット管理データを受信したラベルプリンタ３は、対応するセット中でどの選択テンプレートデータが用いられ、どのオブジェクトデータの組合せで印字内容データを共有するかを把握することができる。このため、１セット中で必要とされる印字内容データの種類ごとに一度ずつ内容を設定するだけで、全ての選択テンプレートデータの全てのオブジェクトデータの印字内容データの内容を自動的に設定できる。この結果、少ない操作回数でテンプレートデータのセットを管理、設定でき、ユーザにとっての利便性を向上することができる。
【００６８】
また、本実施形態では特に、ステップＳ３５の手順でそれぞれの対応オブジェクトＩＤグループに対応付けられた複数のオブジェクトデータ間の同一の印字内容データの内容を設定し、ステップＳ４５の手順ではそれぞれの対応オブジェクトＩＤグループに対応して設定された印字内容データの内容もテンプレートセット管理データに記録する。これにより、管理データ生成処理を実行する操作端末２側で各印字内容データの内容を設定することができ、ラベルプリンタ３側での煩雑な印字内容データの設定が不要となる。
【００６９】
また、本実施形態では特に、ステップＳ１５の手順で複数の選択テンプレートデータそれぞれの印刷枚数を設定し、ステップＳ４５の手順で各選択テンプレートデータに対応して設定された印刷枚数もテンプレートセット管理データに記録する。これにより、管理データ生成処理を実行する操作端末２側で各選択テンプレートに対応した印字ラベルの印刷枚数を設定することができ、ラベルプリンタ３側での煩雑な印字枚数の設定が不要となる。
【００７０】
また、本実施形態では特に、ラベルプリンタ３ではテンプレートデータとは別に新たに作成したテンプレートセット管理データを受信する。もしくは、当該ラベルプリンタ３自体でテンプレートセット管理データを生成して保存し、それを必要時に取得してもよい。すなわち、本願実施形態のラベルプリンタ３の制御手段は、まずステップＳ１０５の手順を実行して、メモリ２１５に予め記憶された複数のテンプレートデータから任意に選択された複数の選択テンプレートデータと、複数の選択テンプレートデータ間でいずれのオブジェクトデータの印字内容データを同一とするか対応付ける同一対応付けデータとが記録されたテンプレートセット管理データを取得（操作端末２から受信、又は自前のメモリ２１５から取得）する。その後、ステップＳ１０５〜ステップＳ１４０の手順を実行して、取得したテンプレートセット管理データに記録されている選択テンプレートデータと同一対応付けデータに基づき搬送装置２０９及び印字ヘッド２０５を制御し、選択テンプレートごとに対応した印字が形成された印字ラベルを作成する。
【００７１】
以上のようにして、複数の異なる選択テンプレートデータからなるセットを１つのテンプレートセット管理データで管理することができ、それら選択テンプレートデータ間で同一の印字内容データを共有するオブジェクトデータの対応付けも管理できる。この結果、当該テンプレートセット管理データを取得したラベルプリンタ３は、対応するセット中でどの選択テンプレートデータが用いられ、どのオブジェクトデータの組合せで印字内容データを共有するかを把握することができる。このため、１セット中で必要とされる印字内容データの種類ごとに一度ずつ内容を設定するだけで、全ての選択テンプレートデータの全てのオブジェクトデータの印字内容データの内容を自動的に設定でき、さらに全ての選択テンプレートに対応する印字ラベルを自動的に作成できる。この結果、少ない操作回数でテンプレートデータのセットを管理、設定、印刷でき、ユーザにとっての利便性を向上することができる。
【００７２】
なお、本発明は、上記実施形態に限られるものではなく、その趣旨及び技術的思想を逸脱しない範囲内で種々の変形が可能である。以下、そのような変形例を順を追って説明する。なお、各変形例において、上記実施形態と同等の部分には同一の符号を付し、適宜説明を省略又は簡略化する。
【００７３】
（１）ラベルプリンタ側でテンプレートセット管理データを修正する場合
上記実施形態では、操作端末２側又はラベルプリンタ３側で印刷枚数及び印字内容データまで設定したテンプレートセット管理データを生成し、そのままの内容で印字ラベルセットを作成していたが、これに限られない。例えば、操作端末２から離れたラベルプリンタ３の使用現場などで、既存のテンプレートセット管理データを用いて他の印刷枚数や印字内容データに対応した印字ラベルセットを作成したい場合には、ラベルプリンタ３で印刷枚数や印字内容データだけを修正できるようにしてもよい。
【００７４】
このようなテンプレートセット管理データの修正処理を実現するために、ラベルプリンタ３の制御回路２０２が備える図示しないＣＰＵが実行する管理データ修正処理の制御手順の一例を図７に示す。なお、ラベルプリンタ３上でテンプレートセット管理データを修正するよう操作された際に、この図７に示すフローの実行が開始される。
【００７５】
まずステップＳ２０５で、制御回路２０２のＣＰＵは、メモリ２１５から目的のテンプレートセット管理データを取得する。もしくは、操作端末２から目的のテンプレートセット管理データを受信してもよい。
【００７６】
次にステップＳ２１０へ移り、制御回路２０２のＣＰＵは、上記ステップＳ２０５で取得したテンプレートセット管理データ中の選択テンプレートデータに記録されている選択テンプレートＩＤを順に（例えば数字順に）１つ取得する。
【００７７】
次にステップＳ２１５へ移り、制御回路２０２のＣＰＵは、上記ステップＳ２１０で取得された選択テンプレートデータの印刷枚数の入力操作をユーザから受け付ける。なお、このステップＳ２１５の手順が、各請求項記載の枚数設定処理に相当する。
【００７８】
次にステップＳ２２０へ移り、制御回路２０２のＣＰＵは、選択テンプレートＩＤと印刷枚数から印字ラベルＩＤを生成する。
【００７９】
次にステップＳ２２５へ移り、制御回路２０２のＣＰＵは、全ての選択テンプレートＩＤで印刷枚数が設定されたか否かを判定する。まだ印刷枚数が設定されていない選択テンプレートＩＤがある場合、判定は満たされず（Ｓ２２５：ＮＯ）、上記ステップＳ２１０に戻って同様の手順を繰り返す。
【００８０】
一方、全ての選択テンプレートＩＤで印刷枚数が設定された場合、判定が満たされ（Ｓ２２５：ＹＥＳ）、ステップＳ２３０へ移る。
【００８１】
ステップＳ２３０では、制御回路２０２のＣＰＵは、ユーザから同一の印字内容を共有させる対応オブジェクトＩＤグループの全てのオブジェクトＩＤの列記入力の操作を受け付ける。
【００８２】
次にステップＳ２３５へ移り、制御回路２０２のＣＰＵは、上記ステップＳ２３０で入力した対応オブジェクトＩＤグループに対応する印字内容データの入力操作を受け付ける。なお、このステップＳ２３５の手順が、各請求項記載の内容設定処理に相当する。
【００８３】
次にステップＳ２４０へ移り、制御回路２０２のＣＰＵは、全ての選択テンプレートデータが備える全ての任意オブジェクトデータに対して対応オブジェクトＩＤグループの対応付けが完了したか否かを判定する。対応付けが完了していない任意オブジェクトデータがある場合、判定が満たされず（Ｓ２４０：ＮＯ）、上記ステップＳ２３０に戻って新たなオブジェクトＩＤグループに対して同様の手順を繰り返す。
【００８４】
一方、全ての任意オブジェクトデータに対して対応付けが完了した場合、判定が満たされ（Ｓ２４０：ＹＥＳ）、ステップＳ２４５へ移る。
【００８５】
ステップＳ４５では、制御回路２０２のＣＰＵは、上記ステップＳ２１０〜ステップＳ２４０の手順で修正された選択テンプレートデータ及び同一対応付けデータに基づいてテンプレートセット管理データを修正する。
【００８６】
次にステップＳ２５０へ移り、制御回路２０２のＣＰＵは、上記ステップＳ２４５で生成したテンプレートセット管理データをメモリ２１５に保存する。そして、このフローを終了する。
【００８７】
なお、以上の管理データ修正処理で扱うテンプレートセット管理データは、あらかじめ印刷枚数や印刷内容データが設定されているものに限られず、選択テンプレートＩＤだけが設定されて印刷枚数や印刷内容データ（同一対応付けデータ）については設定されていないものであってもよい。
【００８８】
以上のような管理データ修正処理を実行することで、既存のテンプレートセット管理データで規定された印字態様で、印刷枚数や印字内容データが異なる印字ラベルセットを作成できる。
【００８９】
また、本変形例では特に、ラベルプリンタ３側でテンプレートセット管理データに記録されている同一対応付けデータに対応付けられた複数のオブジェクトデータ間の同一の印字内容データの内容を設定し、当該ラベルプリンタ３は、設定した印字内容データで各選択テンプレートデータに含まれるオブジェクトデータを印刷する。これにより、ラベルプリンタ３側で各印字内容データの内容を設定することができ、操作端末２から離れた使用現場での印字内容データの設定や変更が可能となる。
【００９０】
また、本変形例では特に、ラベルプリンタ３側でテンプレートセット管理データに記録されている複数の選択テンプレートデータそれぞれの印刷枚数を設定し、当該ラベルプリンタ３は設定した印刷枚数で各選択テンプレートデータに対応する印字ラベルを作成する。これにより、ラベルプリンタ３側で各選択テンプレートに対応した印字ラベルの印刷枚数を設定することができ、操作端末２から離れた使用現場での印刷枚数の設定や変更が可能となる。
【００９１】
（２）代表テンプレートデータに基づいて対応付けを行う場合
上記実施形態では、同一の印字内容データを共有するオブジェクトＩＤを列記した対応オブジェクトＩＤグループの内容そのもので同一対応付けデータを構成していたが、これに限られない。他にも、複数の選択テンプレートデータのうち、同一対応付けデータによって対応付けられたオブジェクトデータを最も多く含む１つの選択テンプレートデータを代表テンプレートデータとして設定し、この代表テンプレートデータに基づいて同一対応付けデータを生成してもよい。
【００９２】
例えば、上記図２、図３に示した例に対応して、図４のテンプレートセット管理データの代わりに図８のテンプレートセット管理データを用いる。この図５に示す例においては、テンプレートデータＩＩＩが代表テンプレートに設定され、代表テンプレートデータＩＩＩ（ｉ）のオブジェクトデータＩＩＩ（ｉ）ａに対応する印字内容データが「Ｘ１０１」であり、オブジェクトデータＩＩＩ（ｉ）ｃに対応する印字内容データが「Ｙ２０１」となる。これに対応して、他の選択テンプレートにおけるオブジェクトデータについては、対応オブジェクトＩＤグループにおいて上記オブジェクトデータＩＩＩ（ｉ）ａと上記オブジェクトデータＩＩＩ（ｉ）ｃのいずれと印字内容データが同じであるか対応付けられ、各オブジェクトデータの印字内容データを特定できる。これにより、１つの代表テンプレートを基準として他の選択テンプレートに対する同一対応付けデータを簡易に生成することができる。そして、同一対応付けデータをオブジェクトデータの識別情報（ＩＤ）という具体的なデータを基準に対応付けて明確に生成できる。なお、印字内容データの数が多いために１つの代表テンプレートデータで全ての印字内容データをカバーできない場合には、第２、第３、などの複数の代表テンプレートを設定してもよい（特に図示せず）。
【００９３】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【００９４】
また、以上の説明において、外観上の寸法や大きさが「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
但し、例えばしきい値や基準値等、所定の判定基準となる値あるいは区切りとなる値の記載がある場合は、それらに対しての「同一」「等しい」「異なる」等は、上記とは異なり、厳密な意味である。
【００９５】
なお、以上において、図１等の各図中に示す矢印は信号の流れの一例を示すものであり、信号の流れ方向を限定するものではない。
【００９６】
また、図５、図６、図７等に示すフローチャートは本発明を上記フローに示す手順に限定するものではなく、発明の趣旨及び技術的思想を逸脱しない範囲内で手順の追加・削除又は順番の変更等をしてもよい。
【００９７】
また、以上既に述べた以外にも、上記実施形態や各変形例による手法を適宜組み合わせて利用しても良い。
【００９８】
その他、一々例示はしないが、本発明は、その趣旨を逸脱しない範囲内において、種々の変更が加えられて実施されるものである。
【符号の説明】
【００９９】
１                印刷システム
２                操作端末
３                ラベルプリンタ（印刷物作成装置）
１２              ＣＰＵ
２０２            制御回路（制御手段）
２０３            被印字テープ（被印字媒体）
２０４            テープロール
２０５            印字ヘッド（印字手段）
２０９            搬送装置（搬送手段）
２１５            メモリ（テンプレート記憶手段）
【図１】
2019212222.tif 000003
【図２】
2019212222.tif 000004
【図３】
2019212222.tif 000005
【図４】
2019212222.tif 000006
【図５】
2019212222.tif 000007
【図６】
2019212222.tif 000008
【図７】
2019212222.tif 000009
【図８】
2019212222.tif 000010